【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
被写体像を光電変換する撮像素子と、
前記撮像素子の近傍に付着した異物に関する情報であり、少なくとも前記異物の位置情報を含む異物領域情報を記憶する記憶手段と、
前記撮像素子により連続して撮像される複数の画像のうちの１つである第１の画像と前記複数の画像のうち前記第１の画像とは異なる第２の画像との間の位置ずれを検出する位置ずれ検出手段と、
前記位置ずれ検出手段の検出結果に基づいて、前記複数の画像を位置合わせして合成する画像合成手段と、
前記位置ずれ検出手段の検出結果と、前記記憶手段に記憶された前記異物領域情報とに基づいて、前記第１の画像における前記異物が写りこんだ一部の画像を、前記第２の画像における前記異物が写りこんでいない一部の画像で補正する画像補正手段と、
を具備することを特徴とする撮像装置。
【請求項２】
前記異物が写りこんだ一部の画像と、前記異物が写りこんでいない一部の画像とは、前記第１の画像と前記第２の画像における前記被写体の同一部分に対応する画像であることを特徴とする請求項１に記載の撮像装置。
【請求項３】
被写体像を光電変換する撮像素子と、
前記撮像素子の近傍に付着した異物に関する情報であり、少なくとも前記異物の位置情報を含む異物領域情報を検出する異物領域検出手段と、
前記撮像素子により連続して撮像される複数の画像のうちの１つである第１の画像と前記複数の画像のうち前記第１の画像とは異なる第２の画像との間の位置ずれを検出する位置ずれ検出手段と、
前記位置ずれ検出手段の検出結果に基づいて、前記複数の画像を位置合わせして合成する画像合成手段と、
前記位置ずれ検出手段の検出結果と、前記異物領域検出手段により検出された前記異物領域情報とに基づいて、前記第１の画像における前記異物が写りこんだ一部の画像を、前記第２の画像における前記異物が写りこんでいない一部の画像で補正する画像補正手段と、
を具備することを特徴とする撮像装置。
【請求項４】
前記異物が写りこんだ一部の画像と、前記異物が写りこんでいない一部の画像とは、前記第１の画像と前記第２の画像における前記被写体の同一部分に対応する画像であることを特徴とする請求項３に記載の撮像装置。
【請求項５】
前記異物領域検出手段は、前記位置ずれ検出手段の検出結果において、画面内の他の部分と異なるずれを示す領域を異物領域として検出することを特徴とする請求項３に記載の撮像装置。
【請求項６】
前記異物領域検出手段には、前記複数の画像とは異なる画像が入力されることを特徴とする請求項３に記載の撮像装置。
【請求項７】
前記異物領域検出手段には、予め定められた絞り径よりも小さい絞り径で撮像された画像が入力されることを特徴とする請求項６に記載の撮像装置。
【請求項８】
被写体像を光電変換する撮像素子と、前記撮像素子の近傍に付着した異物に関する情報であり、少なくとも前記異物の位置情報を含む異物領域情報を記憶する記憶手段とを備える撮像装置を制御する方法であって、
前記撮像素子により連続して撮像される複数の画像のうちの１つである第１の画像と前記複数の画像のうち前記第１の画像とは異なる第２の画像との間の位置ずれを検出する位置ずれ検出工程と、
前記位置ずれ検出工程における検出結果に基づいて、前記複数の画像を位置合わせして合成する画像合成工程と、
前記位置ずれ検出工程における検出結果と、前記記憶手段に記憶された前記異物領域情報とに基づいて、前記第１の画像における前記異物が写りこんだ一部の画像を、前記第２の画像における前記異物が写りこんでいない一部の画像で補正する画像補正工程と、
を具備することを特徴とする撮像装置の制御方法。
【請求項９】
被写体像を光電変換する撮像素子を備える撮像装置を制御する方法であって、
前記撮像素子の近傍に付着した異物に関する情報であり、少なくとも前記異物の位置情報を含む異物領域情報を検出する異物領域検出工程と、
前記撮像素子により連続して撮像される複数の画像のうちの１つである第１の画像と前記複数の画像のうちの前記第１の画像とは異なる第２の画像との間の位置ずれを検出する位置ずれ検出工程と、
前記位置ずれ検出工程における検出結果に基づいて、前記複数の画像を位置合わせして合成する画像合成工程と、
前記位置ずれ検出工程における検出結果と、前記異物領域検出工程において検出された前記異物領域情報とに基づいて、前記第１の画像における前記異物が写りこんだ一部の画像を、前記第２の画像における前記異物が写りこんでいない一部の画像で補正する画像補正工程と、
を具備することを特徴とする撮像装置の制御方法。
【請求項１０】
請求項８又は９に記載の制御方法をコンピュータに実行させるためのプログラム。
【請求項１１】
撮像装置により連続して撮像される複数の画像と、前記撮像装置の撮像素子の近傍に付着した異物に関する情報であり少なくとも前記異物の位置情報を含む異物領域情報とを取得する取得手段と、
前記複数の画像のうちの１つである第１の画像と前記複数の画像のうち前記第１の画像とは異なる第２の画像との間の位置ずれを検出する位置ずれ検出手段と、
前記位置ずれ検出手段の検出結果に基づいて、前記複数の画像を位置合わせして合成する画像合成手段と、
前記位置ずれ検出手段の検出結果と、前記異物領域情報とに基づいて、前記第１の画像における前記異物が写りこんだ一部の画像を、前記第２の画像における前記異物が写りこんでいない一部の画像で補正する画像補正手段と、
を具備することを特徴とする画像処理装置。
【請求項１２】
前記異物が写りこんだ一部の画像と、前記異物が写りこんでいない一部の画像とは、前記第１の画像と前記第２の画像における前記被写体の同一部分に対応する画像であることを特徴とする請求項１１に記載の画像処理装置。
【請求項１３】
撮像装置により連続して撮像される複数の画像を取得する取得手段と、
前記複数の画像のうちの１つである第１の画像と前記複数の画像のうちの前記第１の画像とは異なる第２の画像との間の位置ずれを検出する位置ずれ検出手段と、
前記撮像装置に配置された撮像素子の近傍に付着した異物に関する情報であり、少なくとも前記異物の位置情報を含む異物領域情報を検出する異物領域検出手段と、
前記位置ずれ検出手段の検出結果に基づいて、前記複数の画像を位置合わせして合成する画像合成手段と、
前記位置ずれ検出手段の検出結果と、前記異物領域検出手段により検出された前記異物領域情報とに基づいて、前記第１の画像における前記異物が写りこんだ一部の画像を、前記第２の画像における前記異物が写りこんでいない一部の画像で補正する画像補正手段と、
を具備することを特徴とする画像処理装置。
【請求項１４】
前記異物が写りこんだ一部の画像と、前記異物が写りこんでいない一部の画像とは、前記第１の画像と前記第２の画像における前記被写体の同一部分に対応する画像であることを特徴とする請求項１３に記載の画像処理装置。
【請求項１５】
前記異物領域検出手段は、前記位置ずれ検出手段の検出結果において、画面内の他の部分と異なるずれを示す領域を異物領域として検出することを特徴とする請求項１３に記載の画像処理装置。
【請求項１６】
前記異物領域検出手段には、前記複数の画像とは異なる画像が入力されることを特徴とする請求項１３に記載の画像処理装置。
【請求項１７】
前記異物領域検出手段には、予め定められた絞り径よりも小さい絞り径で撮像された画像が入力されることを特徴とする請求項１６に記載の画像処理装置。
【請求項１８】
撮像装置により連続して撮像される複数の画像と、前記撮像装置の撮像素子の近傍に付着した異物に関する情報であり少なくとも前記異物の位置情報を含む異物領域情報とを取得する取得工程と、
前記複数の画像のうちの１つである第１の画像と前記複数の画像のうち前記第１の画像とは異なる第２の画像との間の位置ずれを検出する位置ずれ検出工程と、
前記位置ずれ検出工程における検出結果に基づいて、前記複数の画像を位置合わせして合成する画像合成工程と、
前記位置ずれ検出工程における検出結果と、前記異物領域情報とに基づいて、前記第１の画像における前記異物が写りこんだ一部の画像を、前記第２の画像における前記異物が写りこんでいない一部の画像で補正する画像補正工程と、
を具備することを特徴とする画像処理方法。
【請求項１９】
撮像装置により連続して撮像される複数の画像を取得する取得工程と、
前記複数の画像のうちの１つである第１の画像と前記複数の画像のうちの前記第１の画像とは異なる第２の画像との間の位置ずれを検出する位置ずれ検出工程と、
前記撮像装置に配置された撮像素子の近傍に付着した異物に関する情報であり、少なくとも前記異物の位置情報を含む異物領域情報を検出する異物領域検出工程と、
前記位置ずれ検出工程における検出結果に基づいて、前記複数の画像を位置合わせして合成する画像合成工程と、
前記位置ずれ検出工程における検出結果と、前記異物領域検出工程において検出された前記異物領域情報とに基づいて、前記第１の画像における前記異物が写りこんだ一部の画像を、前記第２の画像における前記異物が写りこんでいない一部の画像で補正する画像補正工程と、
を具備することを特徴とする画像処理方法。
【請求項２０】
請求項１８又は１９に記載の画像処理方法をコンピュータに実行させるためのプログラム。
【手続補正２】
【補正対象書類名】明細書
【補正対象項目名】００１１
【補正方法】変更
【補正の内容】
【００１１】
上述した課題を解決し、目的を達成するために、本発明に係わる撮像装置は、被写体像を光電変換する撮像素子と、前記撮像素子の近傍に付着した異物に関する情報であり、少なくとも前記異物の位置情報を含む異物領域情報を記憶する記憶手段と、前記撮像素子により連続して撮像される複数の画像のうちの１つである第１の画像と前記複数の画像のうち前記第１の画像とは異なる第２の画像との間の位置ずれを検出する位置ずれ検出手段と、前記位置ずれ検出手段の検出結果に基づいて、前記複数の画像を位置合わせして合成する画像合成手段と、前記位置ずれ検出手段の検出結果と、前記記憶手段に記憶された前記異物領域情報とに基づいて、前記第１の画像における前記異物が写りこんだ一部の画像を、前記第２の画像における前記異物が写りこんでいない一部の画像で補正する画像補正手段と、を具備することを特徴とする。
【手続補正３】
【補正対象書類名】明細書
【補正対象項目名】００１２
【補正方法】変更
【補正の内容】
【００１２】
また、本発明に係わる撮像装置は、被写体像を光電変換する撮像素子と、前記撮像素子の近傍に付着した異物に関する情報であり、少なくとも前記異物の位置情報を含む異物領域情報を検出する異物領域検出手段と、前記撮像素子により連続して撮像される複数の画像のうちの１つである第１の画像と前記複数の画像のうち前記第１の画像とは異なる第２の画像との間の位置ずれを検出する位置ずれ検出手段と、前記位置ずれ検出手段の検出結果に基づいて、前記複数の画像を位置合わせして合成する画像合成手段と、前記位置ずれ検出手段の検出結果と、前記異物領域検出手段により検出された前記異物領域情報とに基づいて、前記第１の画像における前記異物が写りこんだ一部の画像を、前記第２の画像における前記異物が写りこんでいない一部の画像で補正する画像補正手段と、を具備することを特徴とする。
【手続補正４】
【補正対象書類名】明細書
【補正対象項目名】００１３
【補正方法】変更
【補正の内容】
【００１３】
また、本発明に係わる撮像装置の制御方法は、被写体像を光電変換する撮像素子と、前記撮像素子の近傍に付着した異物に関する情報であり、少なくとも前記異物の位置情報を含む異物領域情報を記憶する記憶手段とを備える撮像装置を制御する方法であって、前記撮像素子により連続して撮像される複数の画像のうちの１つである第１の画像と前記複数の画像のうち前記第１の画像とは異なる第２の画像との間の位置ずれを検出する位置ずれ検出工程と、前記位置ずれ検出工程における検出結果に基づいて、前記複数の画像を位置合わせして合成する画像合成工程と、前記位置ずれ検出工程における検出結果と、前記記憶手段に記憶された前記異物領域情報とに基づいて、前記第１の画像における前記異物が写りこんだ一部の画像を、前記第２の画像における前記異物が写りこんでいない一部の画像で補正する画像補正工程と、を具備することを特徴とする。
【手続補正５】
【補正対象書類名】明細書
【補正対象項目名】００１４
【補正方法】変更
【補正の内容】
【００１４】
また、本発明に係わる撮像装置の制御方法は、被写体像を光電変換する撮像素子を備える撮像装置を制御する方法であって、前記撮像素子の近傍に付着した異物に関する情報であり、少なくとも前記異物の位置情報を含む異物領域情報を検出する異物領域検出工程と、前記撮像素子により連続して撮像される複数の画像のうちの１つである第１の画像と前記複数の画像のうちの前記第１の画像とは異なる第２の画像との間の位置ずれを検出する位置ずれ検出工程と、前記位置ずれ検出工程における検出結果に基づいて、前記複数の画像を位置合わせして合成する画像合成工程と、前記位置ずれ検出工程における検出結果と、前記異物領域検出工程において検出された前記異物領域情報とに基づいて、前記第１の画像における前記異物が写りこんだ一部の画像を、前記第２の画像における前記異物が写りこんでいない一部の画像で補正する画像補正工程と、を具備することを特徴とする。
【手続補正６】
【補正対象書類名】明細書
【補正対象項目名】００１６
【補正方法】変更
【補正の内容】
【００１６】
また、本発明に係わる画像処理装置は、撮像装置により連続して撮像される複数の画像と、前記撮像装置の撮像素子の近傍に付着した異物に関する情報であり少なくとも前記異物の位置情報を含む異物領域情報とを取得する取得手段と、前記複数の画像のうちの１つである第１の画像と前記複数の画像のうち前記第１の画像とは異なる第２の画像との間の位置ずれを検出する位置ずれ検出手段と、前記位置ずれ検出手段の検出結果に基づいて、前記複数の画像を位置合わせして合成する画像合成手段と、前記位置ずれ検出手段の検出結果と、前記異物領域情報とに基づいて、前記第１の画像における前記異物が写りこんだ一部の画像を、前記第２の画像における前記異物が写りこんでいない一部の画像で補正する画像補正手段と、を具備することを特徴とする。
【手続補正７】
【補正対象書類名】明細書
【補正対象項目名】００１７
【補正方法】変更
【補正の内容】
【００１７】
また、本発明に係わる画像処理装置は、撮像装置により連続して撮像される複数の画像を取得する取得手段と、前記複数の画像のうちの１つである第１の画像と前記複数の画像のうちの前記第１の画像とは異なる第２の画像との間の位置ずれを検出する位置ずれ検出手段と、前記撮像装置に配置された撮像素子の近傍に付着した異物に関する情報であり、少なくとも前記異物の位置情報を含む異物領域情報を検出する異物領域検出手段と、前記位置ずれ検出手段の検出結果に基づいて、前記複数の画像を位置合わせして合成する画像合成手段と、前記位置ずれ検出手段の検出結果と、前記異物領域検出手段により検出された前記異物領域情報とに基づいて、前記第１の画像における前記異物が写りこんだ一部の画像を、前記第２の画像における前記異物が写りこんでいない一部の画像で補正する画像補正手段と、を具備することを特徴とする。
【手続補正８】
【補正対象書類名】明細書
【補正対象項目名】００１８
【補正方法】変更
【補正の内容】
【００１８】
また、本発明に係わる画像処理方法は、撮像装置により連続して撮像される複数の画像と、前記撮像装置の撮像素子の近傍に付着した異物に関する情報であり少なくとも前記異物の位置情報を含む異物領域情報とを取得する取得工程と、前記複数の画像のうちの１つである第１の画像と前記複数の画像のうち前記第１の画像とは異なる第２の画像との間の位置ずれを検出する位置ずれ検出工程と、前記位置ずれ検出工程における検出結果に基づいて、前記複数の画像を位置合わせして合成する画像合成工程と、前記位置ずれ検出工程における検出結果と、前記異物領域情報とに基づいて、前記第１の画像における前記異物が写りこんだ一部の画像を、前記第２の画像における前記異物が写りこんでいない一部の画像で補正する画像補正工程と、を具備することを特徴とする。
【手続補正９】
【補正対象書類名】明細書
【補正対象項目名】００１９
【補正方法】変更
【補正の内容】
【００１９】
また、本発明に係わる画像処理方法は、撮像装置により連続して撮像される複数の画像を取得する取得工程と、前記複数の画像のうちの１つである第１の画像と前記複数の画像のうちの前記第１の画像とは異なる第２の画像との間の位置ずれを検出する位置ずれ検出工程と、前記撮像装置に配置された撮像素子の近傍に付着した異物に関する情報であり、少なくとも前記異物の位置情報を含む異物領域情報を検出する異物領域検出工程と、前記位置ずれ検出工程における検出結果に基づいて、前記複数の画像を位置合わせして合成する画像合成工程と、前記位置ずれ検出工程における検出結果と、前記異物領域検出工程において検出された前記異物領域情報とに基づいて、前記第１の画像における前記異物が写りこんだ一部の画像を、前記第２の画像における前記異物が写りこんでいない一部の画像で補正する画像補正工程と、を具備することを特徴とする。